(57)【要約】【課題】本発明は、あらゆるスペースで、区画分け又は防球用としてスムーズにネット等の吊張体を吊張りすることができるネット等の吊張体の吊張方法及びその吊張装置を提供することを課題とする。【解決手段】屋内外で各種の目的で使用するネット等の吊張体をガイドワイヤーに設け、該ガイドワイヤーに平行に設けられたウインチワイヤーをウインチを用いて移動することでガイドワイヤーに沿って吊り張り移動する吊張体の吊張方法において、前記ウインチワイヤーの移動時にウインチワイヤーとガイドワイヤーとの縦方向の距離及び吊張体の重量等を調整しながらガイドワイヤーに沿って吊張体を吊り張り移動することである。【選択図】図１
2006141919.tif 000002
【特許請求の範囲】
【請求項１】
屋内外で各種の目的で使用するネット等の吊張体をガイドワイヤーに設け、該ガイドワイヤーに平行に設けられたウインチワイヤーをウインチを用いて移動することでガイドワイヤーに沿って吊り張り移動する吊張体の吊張方法において、前記ウインチワイヤーの移動時にウインチワイヤーとガイドワイヤーとの縦方向の距離及び吊張体の重量等を調整しながらガイドワイヤーに沿って吊張体を吊り張り移動することを特徴とするネット等の吊張体の吊張方法。
【請求項２】
ガイドワイヤーに設けられた屋内外で各種の目的で使用するネット等の吊張体と、ガイドワイヤーに平行に設けられたウインチワイヤーと、前記吊張体の一端側とウインチワイヤーとを連結する連結体とから構成されたネット等の吊張体の吊張装置において、前記連結体が、ウインチワイヤーに回動自在に設けられた第１連結具と、吊張体に回動自在に連結された第２連結具と、前記第１連結具と第２連結具との長さ方向を調整可能な第３連結具とから構成されていることを特徴とするネット等の吊張体の吊張装置。
【請求項３】
前記第３連結具には、ガイドワイヤーに移動自在に挿通され、且つウインチワイヤーの移動と、該ウインチワイヤーの移動による吊張体の移動とを調整するための調整手段が設けられた移動連結具が連結されている請求項２に記載のネット等の吊張体の吊張装置。
【発明の詳細な説明】
【発明の技術分野】
【０００１】本発明は、主にテニス、バスケットボール等の球技に使用する屋内、屋外の広いスペースを使用目的（必要なコート毎、または種目毎）に応じて区画するためネットや、屋内外の野球場における防球用のネット、又はプールの上方にＵＶカットシート等の吊張体を吊り張りする際に使用するネット等の吊張体の吊張方法及びその吊張装置に関する。
【技術の背景】
【０００２】近年、体育館、屋根付き雨天練習場、屋根付き球場（通称、ドーム球場という）等の大きな空間部を有する屋内空間部を、使用目的（例えば、テニス等のコートを複数面取りする場合、又は野球の練習（内野外野の連携練習と打撃練習等に分ける場合）等）に応じて区画分けして同時にスムーズ（コート間でボールの飛び込み等がないように）に使用（試合、練習等）する場合、又は球技における防球用（観客席への球の飛び込み防止、又は隣り合うコートでの球の飛び込み防止等）として安全性を確保する場合に、ネット又はシートを用いて屋内空間部を区切って使用している。
【０００３】また、屋外においてもプールの上方に敷設するＵＶカットシート、又は工事現場での塵埃等の防止用として移動式のシートを設ける場合も各シートを移動して使用している。
【０００４】この場合に使用する装置としては、区画する方向に沿って緊張状態で吊張されたガイドワイヤーと、該ガイドワイヤーにリング等を介して移動自在に設けられたネット等の吊張体と、前記ガイドワイヤーの上部側でガイドワイヤーに平行状態に吊張されたウインチワイヤーと、ウインチワイヤーを駆動するためのウインチと、ネット等の吊張体の先端側とウインチワイヤーとを連結した連結用ワイヤーとから構成された装置が使用されている。
【０００５】この装置は、ウインチの駆動によりウインチワイヤーを移動（エンドレス又は巻き取りリールを用いて）することで、連結用ワイヤーを移動させてネット等の吊張体をガイドワイヤーに沿って移動して空間部を区画する。
【発明が解決しようとする課題】
【０００６】しかしながら、上記従来の装置において、ネット等の吊張体の荷重が大きいためにネット等の吊張体を移動する際に、その荷重によりガイドワイヤー及びウインチワイヤーに捩じれが生じたり、又はガイドワイヤーとウインチワイヤー縦方向の間隔が一定状態を保てないために、連結用ワイヤーの移動が停止したり等の欠点があり、スムーズにネット等の吊張体を移動することができなかった。
【０００７】また、ウインチワイヤーに連結用ワイヤーが固定して取り付けてあるために、ウインチワイヤーに連結用ワイヤーが絡みつきやすく頻繁なメンテナンスが必要であった。
【０００８】そこで、本発明は、あらゆるスペースで、区画分け又は防球用としてスムーズにネット等の吊張体を吊張りすることができるネット等の吊張体の吊張方法及びその吊張装置を提供することである。
【課題を解決するための手段】
【０００９】本発明は、上記目的を達成するために、屋内外で各種の目的で使用するネット等の吊張体をガイドワイヤーに設け、該ガイドワイヤーに平行に設けられたウインチワイヤーをウインチを用いて移動することでガイドワイヤーに沿って吊り張り移動する吊張体の吊張方法において、前記ウインチワイヤーの移動時にウインチワイヤーとガイドワイヤーとの縦方向の距離及び吊張体の重量等を調整しながらガイドワイヤーに沿って吊張体を吊り張り移動することを特徴とする。
【００１０】ガイドワイヤーに設けられた屋内外で各種の目的で使用するネット等の吊張体と、ガイドワイヤーに平行に設けられたウインチワイヤーと、前記吊張体の一端側とウインチワイヤーとを連結する連結体とから構成されたネット等の吊張体の吊張装置において、前記連結体が、ウインチワイヤーに回動自在に設けられた第１連結具と、吊張体に回動自在に連結された第２連結具と、前記第１連結具と第２連結具との長さ方向を調整可能な第３連結具とから構成されていることを特徴とする。
【００１１】第３連結具には、ガイドワイヤーに移動自在に挿通され、且つウインチワイヤーの移動と、該ウインチワイヤーの移動による吊張体の移動とを調整するための調整手段が設けられた移動連結具が連結されていることである。
【作用】
【００１２】屋内又は屋外の広いスペースを複数に区画するため、又は屋内外の球技時の防球用として使用するネット等の吊張体を吊張する場合において、区画する方向にネット等の吊張体がリング等を介して設けられたガイドワイヤーを吊り張りした後、該ガイドワイヤーと平行にウインチワイヤーを吊り張りし、一端側をウインチワイヤーに固定し他端側を前記吊張体の先端側に連結体を取り付ける。
【００１３】その後、前記ウインチワイヤーをウインチを駆動することで移動して連結体が吊張体をガイドワイヤーに沿って移動することで吊張体をガイドワイヤーに沿って吊り張りする。
この際、吊張体の荷重により連結体に捩じれ等が生じたとしても、連結体が、ウインチワイヤーに回動自在に設けられた第１連結具と、吊張体に回動自在に連結された第２連結具と、前記第１連結具と第２連結具との長さ方向を調整可能な第３連結具とから構成されているために、それぞれの連結具が作動して捩じれ等を解消することができ、またガイドワイヤーとウインチワイヤーとの縦方向の距離を調整することができる。
【００１４】また、ガイドワイヤーには、該ガイドワイヤー移動自在に挿通され、且つウインチワイヤーの移動と、該ウインチワイヤーの移動による吊張体の移動とを調整するための調整手段が設けられた移動連結具が連結されているために、ウインチワイヤーとガイドワイヤーとの捩じれをスムーズに解消することができる。
【００１５】このように、本発明は吊張体を移動する際に発生する各ワイヤーの捩じれ等を解消することができるので、スムーズな吊張体の吊り張り移動が可能であり、装置全体のメンテナンスの回数を極力押さえることができる。
【００１６】しかも、ウインチワイヤー、ガイドワイヤー、連結体をそれぞれに発生する捩じれ等をそれぞれ連動して解消することができる。
【実施の形態】
【００１７】以下、本発明のネット等の吊張体の吊張装置の一実施例を図面に沿って説明する。
【００１８】図１は、ネット等の吊張体の吊張装置に使用する連結体を示す概略説明図であり、図２は連結体の他実施例に示す概略説明図である。
【００１９】ネット吊張り装置１は、屋内空間部の側面に設けられたエンドレスウインチ（図示せず）と、該エンドレスウインチに一端側を巻回し、屋内空間部の天井部に沿って設けられたガイド体（例えば滑車、案内レール等）に沿って緊張して設けられたウインチワイヤー２と、該ウインチワイヤー２に平行して設けられたガイドワイヤー３と、該ガイドワイヤー３に設けられた吊張体としてのネット５と、ウインチワイヤー２とネット５とを連結した連結体６とから構成されている。
【００２０】前記連結体６は、ウインチワイヤー２に一定の間隔で固定された固定体７、７と、該固定体７、７間Ｂで移動自在に挿通されたリング体８と、ガイドワイヤー３に移動自在に挿通され上下方向にリング体９、１０が固定された移動連結具１１と、リング体９とリング体８との間に設けられた２個のリング体１２、１３と、前記リング体１０とネット５とを連結したリング体１４とから構成され、リング体８は距離Ａ１、リング体１２は距離Ａ２、リング体１３は距離Ａ３、リング体９は距離Ｃ１、リング体１０は距離Ｃ２とそれぞれ調整可能である。
これにより、リング体８、１２、１３間は、距離Ａ１＋Ａ２＋Ａ３の間で調整することができ、リング体８は距離Ｂ間と、距離Ａ１間とで調整することができる。尚、リング体の数は３個に限定されるものでなく、その装置に応じた数で対応するもので、１個でもよく多数個使用することも可能である。
【００２１】前記移動連結具１１の後方には、ガイドワイヤー３に移動自在に挿通された移動環１７と該移動環１７とネット５の上部側とを連結したリング体１８とから構成された移動体１９が設けられている。
【００２２】次に、上記ネット吊張り装置１を使用してネット５を吊り張りする場合について説明する。
【００２２】先ず、空間部にネット５の設けられたガイドワイヤー３を設け、該ガイドワイヤー３の上方に平行にウインチワイヤー２を設ける。その後、連結体６をガイドワイヤー３とウインチワイヤー２間に設ける。この際、ウインチワイヤー２に一定の間Ｂを設定して固定体７、７を固定し、該固定体７、７間にリング体８を設け、該ガイドワイヤー３に移動自在に挿通され、上下方向にリング体９、１０の固定された移動連結具１１を設ける。そして、前記リング体８とリング体９との間を２個のリング体１２、１３で連結する。これにより、ウインチワイヤー２とガイドワイヤー３との縦方向の距離間は、リング体８は距離Ａ１、リング体１２は距離Ａ２、リング体１３は距離Ａ３で調整することができる。また、リング体１３がリング体９で距離Ｃ１で横方向の距離を調整することができる。
【００２３】次に、ネット５の先端側の孔１８とリング体１０とを、リング体１４で連結することで、距離Ｃ２で横方向の距離を調整することができる。
【００２４】この状態でエンドレスウインチを駆動しウインチワイヤー２をエンドレス状態で移動すると、ウインチワイヤー２に設けられたリング体８がウインチワイヤー２の移動方向に引っ張られることとなり、該リング体８に連結されたリング体１２、リング体１３がそれぞれ引っ張られ、ガイドワイヤー３に設けられた移動連結具１１を引っ張り、これによりネット５の先端側が引っ張られることとなる。そして、移動連結具１１の後方のガイドワイヤー３に挿通された移動環１７が、移動連結具１１に沿って連続して移動し、該移動環１７に連結されたリング体１８がネット５を順次移動させることとなる。
このため、ネット５の重量により各リング体１４、リング体１８に捩じれ等が発生しても横方向の距離Ｃ２とリング体１４の距離Ａ４、及びリング体１８の距離Ｄ１により吸収して解消することができ直接ガイドワイヤー３に捩じれが生じない。
【００２５】また、ウインチワイヤー２の移動時に生じる捩じれ等は、リング体８の距離Ａ１及びリング体１２、１３の距離Ａ２、Ａ３で吸収して解消することができるので、ウインチワイヤー２の移動時に生じる捩じれがガイドワイヤー３に直接影響することがない。
【００２６】従って、ネット５はスムーズに且つ安全にガイドワイヤー３に沿って移動することができ、使用時の捩じれ等によるトラブルを極力解消することができるので、装置全体のメンテナンスの必要数を減少することができる。
【００２７】また、装置の構成も簡易であるためにコストの面でも経済的である。
【００２８】尚、上記実施例では、ウインチワイヤー２とガイドワイヤー３とを平行状態に吊り張りする場合についての連結具を使用したが、例えばウインチワイヤー２に吊り上げワイヤー２０を連結して使用する場合は、ガイドワイヤー３に十字状の連結具２１を使用して連結することも可能である。
【図面の簡単な説明】
【図１】は、本発明の一実施例であるネット等の吊張体の吊張装置に使用する連結体を示す概略説明図である。
【図２】は、連結体の他実施例に示す概略説明図である。
【符号の説明】
２…ウインチワイヤー，３…ガイドワイヤー，６…連結体
【図１】
2006141919.tif 000003
2006141919.tif 000004
【図２】
2006141919.tif 000005
【手続補正書】
【提出日】平成17年2月8日(2005.2.8)
【手続補正１】
【補正対象書類名】明細書
【補正対象項目名】全文
【補正方法】変更
【補正の内容】
【発明の詳細な説明】
【発明の技術分野】
【０００１】本発明は、主にテニス、バスケットボール等の球技に使用する屋内、屋外の広いスペースを使用目的（必要なコート毎、または種目毎）に応じて区画するためネットや、屋内外の野球場における防球用のネット、又はプールの上方にＵＶカットシート等の吊張体を吊り張りする際に使用するネット等の吊張体の吊張方法及びその吊張装置に関する。
【技術の背景】
【０００２】近年、体育館、屋根付き雨天練習場、屋根付き球場（通称、ドーム球場という）等の大きな空間部を有する屋内空間部を、使用目的（例えば、テニス等のコートを複数面取りする場合、又は野球の練習（内野外野の連携練習と打撃練習等に分ける場合）等）に応じて区画分けして同時にスムーズ（コート間でボールの飛び込み等がないように）に使用（試合、練習等）する場合、又は球技における防球用（観客席への球の飛び込み防止、又は隣り合うコートでの球の飛び込み防止等）として安全性を確保する場合に、ネット又はシートを用いて屋内空間部を区切って使用している。
【０００３】また、屋外においてもプールの上方に敷設するＵＶカットシート、又は工事現場での塵埃等の防止用として移動式のシートを設ける場合も各シートを移動して使用している。
【０００４】この場合に使用する装置としては、区画する方向に沿って緊張状態で吊張されたガイドワイヤーと、該ガイドワイヤーにリング等を介して移動自在に設けられたネット等の吊張体と、前記ガイドワイヤーの上部側でガイドワイヤーに平行状態に吊張されたウインチワイヤーと、ウインチワイヤーを駆動するためのウインチと、ネット等の吊張体の先端側とウインチワイヤーとを連結した連結用ワイヤーとから構成された装置が使用されている。
【０００５】この装置は、ウインチの駆動によりウインチワイヤーを移動（エンドレス又は巻き取りリールを用いて）することで、連結用ワイヤーを移動させてネット等の吊張体をガイドワイヤーに沿って移動して空間部を区画する。
【発明が解決しようとする課題】
【０００６】しかしながら、上記従来の装置において、ネット等の吊張体の荷重が大きいためにネット等の吊張体を移動する際に、その荷重によりガイドワイヤー及びウインチワイヤーに捩じれが生じたり、又はガイドワイヤーとウインチワイヤー縦方向の間隔が一定状態を保てないために、連結用ワイヤーの移動が停止したりする等の欠点があり、スムーズなネット等の吊張体を移動することができなかった。
【０００７】また、ウインチワイヤーに連結用ワイヤーが固定して取り付けてあるために、ウインチワイヤーに連結用ワイヤーが絡みつきやすく頻繁なメンテナンスが必要であった。
【０００８】そこで、本発明は、あらゆるスペースで、区画分け又は防球用としてスムーズにネット等の吊張体を吊張りすることができるネット等の吊張体の吊張方法及びその吊張装置を提供することである。
【課題を解決するための手段】
【０００９】本発明は、上記目的を達成するために、屋内外で各種の目的で使用するネット等の吊張体をガイドワイヤーに設け、該ガイドワイヤーに平行に設けられたウインチワイヤーをウインチを用いて移動することでガイドワイヤーに沿って吊り張り移動する吊張体の吊張方法において、前記ウインチワイヤーの移動時にウインチワイヤーとガイドワイヤーとの縦方向の距離及び吊張体の重量等を調整しながらガイドワイヤーに沿って吊張体を吊り張り移動することを特徴とする。
【００１０】ガイドワイヤーに設けられた屋内外で各種の目的で使用するネット等の吊張体と、ガイドワイヤーに平行に設けられたウインチワイヤーと、前記吊張体の一端側とウインチワイヤーとを連結する連結体とから構成されたネット等の吊張体の吊張装置において、前記連結体が、ウインチワイヤーに回動自在に設けられた第１連結具と、吊張体に回動自在に連結された第２連結具と、前記第１連結具と第２連結具との長さ方向を調整可能な第３連結具とから構成されていることを特徴とする。
【００１１】第３連結具には、ガイドワイヤーに移動自在に挿通され、且つウインチワイヤーの移動と、該ウインチワイヤーの移動による吊張体の移動とを調整するための調整手段が設けられた移動連結具が連結されていることである。
【作用】
【００１２】屋内又は屋外の広いスペースを複数に区画するため、又は屋内外の球技時の防球用として使用するネット等の吊張体を吊張する場合において、区画する方向にネット等の吊張体がリング等を介して設けられたガイドワイヤーを吊り張りした後、該ガイドワイヤーと平行にウインチワイヤーを吊り張りし、一端側をウインチワイヤーに固定し他端側を前記吊張体の先端側に連結体を取り付ける。
【００１３】その後、前記ウインチワイヤーをウインチを駆動することで移動して連結体が吊張体をガイドワイヤーに沿って移動することで吊張体をガイドワイヤーに沿って吊り張りする。
この際、吊張体の荷重により連結体に捩じれ等が生じたとしても、連結体が、ウインチワイヤーに回動自在に設けられた第１連結具と、吊張体に回動自在に連結された第２連結具と、前記第１連結具と第２連結具との長さ方向を調整可能な第３連結具とから構成されているために、それぞれの連結具が作動して捩じれ等を解消することができ、またガイドワイヤーとウインチワイヤーとの縦方向の距離を調整することができる。
【００１４】また、ガイドワイヤーには、該ガイドワイヤー移動自在に挿通され、且つウインチワイヤーの移動と、該ウインチワイヤーの移動による吊張体の移動とを調整するための調整手段が設けられた移動連結具が連結されているために、ウインチワイヤーとガイドワイヤーとの捩じれをスムーズに解消することができる。
【００１５】このように、本発明は吊張体を移動する際に発生する各ワイヤーの捩じれ等を解消することができるので、スムーズな吊張体の吊り張り移動が可能であり、装置全体のメンテナンスの回数を極力押さえることができる。
【００１６】しかも、ウインチワイヤー、ガイドワイヤー、連結体をそれぞれに発生する捩じれ等をそれぞれ連動して解消することができる。
【実施の形態】
【００１７】以下、本発明のネット等の吊張体の吊張装置の一実施例を図面に沿って説明する。
【００１８】図１は、ネット等の吊張体の吊張装置に使用する連結体を示す概略説明図であり、図２は連結体の他実施例に示す概略説明図である。
【００１９】ネット吊張り装置１は、屋内空間部の側面に設けられたエンドレスウインチ（図示せず）と、該エンドレスウインチに一端側を巻回し、屋内空間部の天井部に沿って設けられたガイド体（例えば滑車、案内レール等）に沿って緊張して設けられたウインチワイヤー２と、該ウインチワイヤー２に平行して設けられたガイドワイヤー３と、該ガイドワイヤー３に設けられた吊張体としてのネット５と、ウインチワイヤー２とネット５とを連結した連結体６とから構成されている。
【００２０】前記連結体６は、ウインチワイヤー２に一定の間隔で固定された固定体７、７と、該固定体７、７間Ｂで移動自在に挿通されたリング体８と、ガイドワイヤー３に移動自在に挿通され上下方向にリング体９、１０が固定された移動連結具１１と、リング体９とリング体８との間に設けられた２個のリング体１２、１３と、前記リング体１０とネット５とを連結したリング体１４とから構成され、リング体８は距離Ａ１、リング体１２は距離Ａ２、リング体１３は距離Ａ３、リング体９は距離Ｃ１、リング体１０は距離Ｃ２とそれぞれ調整可能である。
これにより、リング体８、１２、１３間は、距離Ａ１＋Ａ２＋Ａ３の間で調整することができ、リング体８は距離Ｂ間と、距離Ａ１間とで調整することができる。尚、リング体の数は３個に限定されるものでなく、その装置に応じた数で対応するもので、１個でもよく多数個使用することも可能である。
【００２１】前記移動連結具１１の後方には、ガイドワイヤー３に移動自在に挿通された移動環１７と該移動環１７とネット５の上部側とを連結したリング体１８とから構成された移動体１９が設けられている。
【００２２】次に、上記ネット吊張り装置１を使用してネット５を吊り張りする場合について説明する。
【００２２】先ず、空間部にネット５の設けられたガイドワイヤー３を設け、該ガイドワイヤー３の上方に平行にウインチワイヤー２を設ける。その後、連結体６をガイドワイヤー３とウインチワイヤー２間に設ける。この際、ウインチワイヤー２に一定の間Ｂを設定して固定体７、７を固定し、該固定体７、７間にリング体８を設け、該ガイドワイヤー３に移動自在に挿通され、上下方向にリング体９、１０の固定された移動連結具１１を設ける。そして、前記リング体８とリング体９との間を２個のリング体１２、１３で連結する。これにより、ウインチワイヤー２とガイドワイヤー３との縦方向の距離間は、リング体８は距離Ａ１、リング体１２は距離Ａ２、リング体１３は距離Ａ３で調整することができる。また、リング体１３がリング体９で距離Ｃ１で横方向の距離を調整することができる。
【００２３】次に、ネット５の先端側の孔１８とリング体１０とを、リング体１４で連結することで、距離Ｃ２で横方向の距離を調整することができる。
【００２４】この状態でエンドレスウインチを駆動しウインチワイヤー２をエンドレス状態で移動すると、ウインチワイヤー２に設けられたリング体８がウインチワイヤー２の移動方向に引っ張られることとなり、該リング体８に連結されたリング体１２、リング体１３がそれぞれ引っ張られ、ガイドワイヤー３に設けられた移動連結具１１を引っ張り、これによりネット５の先端側が引っ張られることとなる。そして、移動連結具１１の後方のガイドワイヤー３に挿通された移動環１７が、移動連結具１１に沿って連続して移動し、該移動環１７に連結されたリング体１８がネット５を順次移動させることとなる。
このため、ネット５の重量により各リング体１４、リング体１８に捩じれ等が発生しても横方向の距離Ｃ２とリング体１４の距離Ａ４、及びリング体１８の距離Ｄ１により吸収して解消することができ直接ガイドワイヤー３に捩じれが生じない。
【００２５】また、ウインチワイヤー２の移動時に生じる捩じれ等は、リング体８の距離Ａ１及びリング体１２、１３の距離Ａ２、Ａ３で吸収して解消することができるので、ウインチワイヤー２の移動時に生じる捩じれがガイドワイヤー３に直接影響することがない。
【００２６】従って、ネット５はスムーズに且つ安全にガイドワイヤー３に沿って移動することができ、使用時の捩じれ等によるトラブルを極力解消することができるので、装置全体のメンテナンスの必要数を減少することができる。
【００２７】また、装置の構成も簡易であるためにコストの面でも経済的である。
【００２８】尚、上記実施例では、ウインチワイヤー２とガイドワイヤー３とを平行状態に吊り張りする場合についての連結具を使用したが、例えばウインチワイヤー２に吊り上げワイヤー２０を連結して使用する場合は、ガイドワイヤー３に十字状の連結具２１を使用して連結することも可能である。
【図面の簡単な説明】
【００２９】
【図１】は、本発明の一実施例であるネット等の吊張体の吊張装置に使用する連結体を示す概略説明図である。
【図２】は、連結体の他実施例を示す概略説明図である。
【符号の説明】
【００３０】    ２…ウインチワイヤー，３…ガイドワイヤー，６…連結体
【手続補正２】
【補正対象書類名】図面
【補正対象項目名】全図
【補正方法】変更
【補正の内容】
【図１】
2006141919.tif 000006
【図２】
2006141919.tif 000007